(57)【要約】【課題】利用者が使用する携帯端末装置を新たな携帯端末装置に変更した場合であっても、同一の操作性を確保することが可能な携帯端末装置を提供する。【解決手段】上記課題を解決するために、携帯端末装置１００に、キー入力に応じた機能を提供する機能提供手段１０３と、通信先装置１０６等から第２の標準プロファイル１０２を取得する標準プロファイル取得手段１０４と、第２の標準プロファイル１０２の内容を第１の標準プロファイル１０１に登録する標準プロファイル登録手段１０５と、を備える。【選択図】図１
2008048112.tif 000002
【特許請求の範囲】
【請求項１】
１又は２以上のキーの組合わせについて任意の順番で押下される一連のキー入力を検出すると、一連のキー入力毎に所定の機能を割当てた第１のキー割当て情報を有する第１の標準プロファイルから前記一連のキー入力に割当てられた機能を取得して提供する機能提供手段と、
一連のキー入力毎に所定の機能を割当てた第２のキー割当て情報を有する第２の標準プロファイルを、他の装置又は記憶媒体から取得する標準プロファイル取得手段と、
該第２の標準プロファイルから第２のキー割当て情報を取得し、該第２のキー割当て情報を前記第１の標準プロファイルに登録する標準プロファイル登録手段と、
を備える携帯端末装置。
【請求項２】
前記標準プロファイル登録手段は、前記第１のキー割当て情報における一連のキー入力と、前記第２のキー割当て情報における一連のキー入力と、が重複する場合には、該一連のキー入力について前記第２のキー割当て情報を登録するとともに、新たな一連のキー入力について前記第１のキー割当て情報を登録する、
ことを特徴とする請求項１に記載の携帯端末装置。
【請求項３】
前記第１の標準プロファイルに登録された前記第１のキー割当て情報又は前記第２のキー割当て情報のいずれか一方を必要に応じて選択し、該選択したキー割当て情報から一連のキー入力に割当てられた機能を取得し、該機能を実現するプログラムを実行する、
ことを特徴とする請求項２に記載の携帯端末装置。
【請求項４】
一連のキー入力毎に所定の機能を割当てた第１のキー割当て情報を有する第１の標準プロファイルを、記憶部から読出す第１の標準プロファイル取得処理と、
一連のキー入力毎に所定の機能を割当てた第２のキー割当て情報を有する第２の標準プロファイルを、他の装置又は記憶媒体から取得する第２の標準プロファイル取得処理と、
該第２の標準プロファイルから第２のキー割当て情報を取得し、該第２のキー割当て情報を前記第１の標準プロファイルに登録する標準プロファイル登録処理と、
を携帯端末装置に実行させる携帯端末装置におけるキー割当て方法。
【請求項５】
一連のキー入力毎に所定の機能を割当てた第１のキー割当て情報を有する第１の標準プロファイルを記憶する第１の標準プロファイル記憶部から前記第１の標準プロファイルを読出す第１の標準プロファイル取得処理と、
一連のキー入力毎に所定の機能を割当てた第２のキー割当て情報を有する第２の標準プロファイルを、他の装置又は記憶媒体から取得して第２の標準プロファイル記憶部に記憶する第２の標準プロファイル取得処理と、
該第２の標準プロファイル記憶部から前記第２の標準プロファイルを読出して該第２の標準プロファイルから第２のキー割当て情報を取得し、該第２のキー割当て情報を前記第１の標準プロファイルに登録する標準プロファイル登録処理と、
を携帯端末装置に実行させるキー割当て用プログラム。
【発明の詳細な説明】
【技術分野】
【０００１】
本発明は、提供する機能を所定のキーに割当てるキー割当て機能を備えた携帯端末装置に関する。
【背景技術】
【０００２】
近年、携帯電話やＰＤＡ（Ｐｅｒｓｏｎａｌ  Ｄｉｇｉｔａｌ  Ａｓｓｉｓｔａｎｔｓ）等の携帯端末装置が急速に普及してきている。
携帯端末装置は、そのサイズ等の制約のために搭載可能なキーの数が制限される。そのため、例えば、１又は２以上のキーの組合わせに対して複数の機能が割当てられている（以下、この割当てを「キー割当て」という）。
【０００３】
このキー割当ては製造メーカや機種毎に異なるため、長年使用してキーの操作に慣れている携帯端末装置を、異なる製造メーカや異なる機種の携帯端末装置に換えると、使用者は、改めて携帯端末装置のキー割当てを憶えキーの操作に慣れなければならないという問題があった。
【０００４】
特許文献１には、機械の操作に不慣れな利用者でも自然な推論に基づく操作を行なうことができ、機械の操作性の向上がはかれる入力操作変換装置について開示されている。また、特許文献２には、使用するコンピュータシステム等にかかわらず、ユーザ毎に適切に調整されたインタフェースを実現するインタフェース実現方法について開示されている。
【特許文献１】特開平０８−２４９１５３号公報
【特許文献２】特開２００１−２６５４７２号公報
【発明の開示】
【発明が解決しようとする課題】
【０００５】
本発明は、上述した問題に鑑みてなされたものであり、その解決しようとする課題は、利用者が使用する携帯端末装置を新たな携帯端末装置に変更した場合であっても、同一の操作性を確保することが可能な携帯端末装置を提供することである。
【課題を解決するための手段】
【０００６】
上記課題を解決するために、本発明に係る携帯端末装置は、１又は２以上のキーの組合わせについて任意の順番で押下される一連のキー入力を検出すると、一連のキー入力毎に所定の機能を割当てた第１のキー割当て情報を有する第１の標準プロファイルから前記一連のキー入力に割当てられた機能を取得して提供する機能提供手段と、一連のキー入力毎に所定の機能を割当てた第２のキー割当て情報を有する第２の標準プロファイルを、他の装置又は記憶媒体から取得する標準プロファイル取得手段と、該第２の標準プロファイルから第２のキー割当て情報を取得し、該第２のキー割当て情報を前記第１の標準プロファイルに登録する標準プロファイル登録手段と、を備える。
【０００７】
ここで、「他の装置」とは、携帯端末装置やサーバ等のことをいう。そして、「他の装置又は記憶媒体から取得する」とは、通信可能に接続した他の装置から有線通信又は無線通信によって第２の標準プロファイルを取得しても良いし、他の装置から記憶媒体に複製等した第２の標準プロファイルをその記憶媒体から読出して取得しても良いことを示す。      
【０００８】
本発明によると、標準プロファイル取得手段が、他の装置（例えば、今まで使用してきた使い慣れた携帯端末装置）におけるキー割当て情報を有する第２の標準プロファイルを通信や記憶媒体を介して取得し、標準プロファイル登録手段が、当該携帯端末装置（例えば、新たに使用する携帯端末装置）におけるキー割当て情報である第１の標準プロファイルに第２の標準プロファイルの内容を登録するので、他の装置における操作と同様の操作によって当該携帯端末装置も操作することが可能となる。
【発明の効果】
【０００９】
以上に説明したように、本発明によると、利用者が使用する携帯端末装置を新たな携帯端末装置に変更した場合であっても、同一の操作性を確保することが可能な携帯端末装置を提供することが可能となる。
【発明を実施するための最良の形態】
【００１０】
以下、本発明の実施の形態について図１〜図８に基づいて説明する。
図１は、本発明の実施例に係る携帯端末装置１００の動作原理を説明する図である。
図１に示す携帯端末装置１００は、キー入力に応じた機能を提供する機能提供手段１０３と、通信先装置１０６等から第２の標準プロファイル１０２を取得する標準プロファイル取得手段１０４と、第２の標準プロファイル１０２の内容を第１の標準プロファイル１０１に登録する標準プロファイル登録手段１０５と、を備える。
【００１１】
ここで、第１の標準プロファイル１０１は、携帯端末装置１００の操作に関する情報で構成される。本実施例では、一連のキー入力毎に所定の機能を割当てた第１のキー割当て情報で構成される。
【００１２】
なお、「一連のキー入力」とは、ＭＥＮＵキーや”０”〜”９”のダイヤルキーなど１又は２以上のキーの組合わせを任意の順番で入力するキー入力のことをいう。
同様に、第２の標準プロファイル１０２は、通信先装置１０６の操作に関する情報で構成され、本実施例では、一連のキー入力毎に所定の機能を割当てた第２のキー割当て情報で構成される。
【００１３】
機能提供手段１０３は、一連のキー入力を検出すると、第１の標準プロファイル１０１を参照する。そして、検出した一連のキー入力に割当てられた機能を取得する。そして、その機能を提供するために図示しない記憶手段に記憶されているプログラムを実行する。
【００１４】
一方、標準プロファイル取得手段１０４は、第２の標準プロファイル１０２を取得する手段である。例えば、通信先装置１０６と通信可能に接続することによって通信先装置１０６から第２の標準プロファイル１０２を取得しても良いし、記憶媒体を介して第２の標準プロファイル１０２を取得しても良い。
【００１５】
なお、「記憶媒体を介して取得する」とは、通信先装置１０６から記憶媒体に書き出した第２の標準プロファイルを、記憶媒体から読出して取得することをいう。
標準プロファイル登録手段１０５は、第２の標準プロファイル１０２における第２のキー割当て情報を、第１の標準プロファイル１０１に反映させる（以下、この処理を「登録」という）。
【００１６】
図２は、本発明の実施例に係る携帯端末装置１００の構成を示す機能ブロック図である。
図２に示す携帯端末装置１００は、近距離でデータ通信を行なう近距離データ通信部２０１と、この近距離データ通信部２０１を制御してデータの送受信を行なうデータ送受信部２０２と、入力キーの押下等を検出するキー入力部２０３と、入力キーの制御を行なうキー入力制御部２０４と、データを表示する表示部２０５と、表示部２０５を制御する表示制御部２０６と、携帯電話等のように無線通信を行なう無線装置２０７と、携帯端末用通信網等を介して所定の装置と通信可能に接続する無線制御部２０８と、近距離データ通信部２０１を介して標準プロファイルの授受を行なう標準プロファイル転送・読取り部２０９と、標準プロファイルの生成・登録を行なう標準プロファイル生成部２１０と、キー入力制御部２０４から通知されるキー入力に応じたプログラム２１２を起動して利用者の意図する機能を提供するメニュー操作部２１１と、を備えている。
【００１７】
標準プロファイル転送・読取り部２０９は、近距離データ通信部２０１を介して他の携帯端末装置と通信可能に接続し、第２の標準プロファイル１０２を送信又は受信する。
標準プロファイル生成部２１０は、キー入力部２０３で検出した一連のキー入力に割当てられている機能を図示しないメモリ等に記憶されている第１の標準プロファイル１０１から取得する。そして、当該機能の実行をメニュー操作部２１１に指示する。
【００１８】
また、標準プロファイル生成部２１０は、標準プロファイル転送・読取り部２０９が受信した第２の標準プロファイル１０２の内容を、第１の標準プロファイル１０１に登録する。
【００１９】
メニュー操作部２１１は、携帯端末装置全体の制御や諸機能の表示部２０５への表示を行なう。また、標準プロファイル生成部２１０から指示された機能を実現するプログラム２１２を図示しない記憶部から読出して実行する。
【００２０】
以上の構成において、標準プロファイル転送・読取り部２０９、標準プロファイル生成部２１０及びメニュー操作部２１１は、所定のプログラムを携帯端末装置１００が備える図示しないＣＰＵに実行させることによって実現される。
【００２１】
近距離データ通信部２０１及びデータ送受信部２０２は、例えば、ＩｒＤＡ（Ｉｎｆｒａｒｅｄ  Ｄａｔａ  Ａｓｓｏｃｉａｔｉｏｎ）やＲＦ−ＩＤ（Ｒａｄｉｏ  Ｆｒｅｑｕｅｎｃｙ  Ｉｄｅｎｔｉｆｉｃａｔｉｏｎ）等の近距離通信装置によって実現される。
【００２２】
ここで、以上に説明した構成において、図１に示した機能提供手段１０３は、キー入力制御部２０４及びメニュー操作部２１１によって実現され、標準プロファイル登録手段１０５は、メニュー操作部２１１によって実現される。また、標準プロファイル取得手段１０４は、標準プロファイル転送・読取り部２０９によって実現される。
【００２３】
なお、本実施例では、近距離データ通信部２０１を用いたＩｒＤＡ等の通信を行なって他の携帯端末装置から第２の標準プロファイル１０２を取得しているが、近距離データ通信部２０１に換えてネットワーク接続部を備え、ネットワークを介して他の携帯端末装置やサーバ等から第２の標準プロファイルを取得しても良い。また、近距離データ通信部２０１に換えて可搬記憶媒体を駆動する媒体駆動部を備え、可搬記憶媒体を介して第２の標準プロファイル１０２を取得してもよい。
【００２４】
図３は、本発明の実施例に係る第１又は第２の標準プロファイルを説明する図である。
図３に示す第１又は第２の標準プロファイル（以下、単に「標準プロファイル３００」という）は、１又は２以上の機能操作情報（キー割当て情報）１〜ｎを備える。そして、機能操作情報１〜ｎは、それぞれ一連のキー入力から検出するキー操作順序３０１と機能識別子３０２とを備える。
【００２５】
キー操作順序３０１は、利用者が押下した一連のキー入力及びその順番を示す情報である。携帯端末装置１００は、利用者が任意のキーを押下する毎に入力キーを検出する。そして、キー位置情報３０３を参照し、検出した順番に入力キーの位置情報（例えば、キー［Ａ１］など）を取得する。そして、取得した位置情報をキー操作情報３０１として記憶する。
【００２６】
例えば、キー［Ａ１］、［Ｄ２］、［Ｃ１］の順に入力キーを検出した場合、キー操作順序３０１は、”Ａ１Ｄ２Ｃ１”となる。
ここで、キー位置情報３０３は、携帯端末装置１００に備わるキーの位置を示す情報であり、各キーの割込み信号と関連づけられている。例えば、キー［Ａ１］、［Ｄ２］及び［Ｃ１］は、それぞれメニューキー、ダイヤルキー［５］及び［１］の位置を示す。
【００２７】
機能識別子３０２は、携帯端末装置１００が提供する機能を識別する情報である。携帯端末装置１００は、キー操作順序３０１を取得すると、機能識別子一覧３０４を参照してキー操作順序３０１に割当てられている機能の機能識別子（例えば、Ｆ２１など）を取得して記憶する。
【００２８】
例えば、キー操作順序３０１が”Ａ１Ｄ２Ｃ１”の場合、メール受信機能の識別子である”Ｆ２２”が機能識別子３０２として記憶される。
ここで、機能識別子一覧３０４は、キー操作順序３０１と、各キー操作順序３０１に割当てられている携帯端末装置１００が提供する機能を識別する機能識別子と、で構成されている。図３には、例えば、”Ａ１Ｃ１Ｄ２”が、”Ｆ２２（メール受信）”に割当てられている。
【００２９】
図４は、図３に示した機能操作情報の構成例を示す図である。
図４に示す機能操作情報４００は、優先選択識別子４０１と、新端末優先テーブルアドレス４０２と、旧端末優先テーブルアドレス４０３と、を備える。
【００３０】
優先選択識別子４０１は、所定のキーに割当てられた機能であって、新たに利用者が使い始める当該携帯端末装置（以下、「新携帯端末装置」という）において割当てられている機能又は新携帯端末装置以前に使用していた携帯端末装置（以下、「旧携帯端末装置」という）において割当てられていた機能のうち、優先して使用する機能を示す情報である。
【００３１】
新携帯端末装置に割当てられている機能を優先して使用する場合には、”新端末”、旧携帯端末装置において割当てられていた機能を優先して使用する場合には、”旧端末”が設定される。
【００３２】
新端末優先テーブルアドレス４０２は、新携帯端末装置におけるキー操作順序３０１ａとそのキー操作順序３０１ａに割当てられている機能の機能識別子３０２ａとを記憶する新端末機能変換テーブル４０４の格納先を示すアドレス情報である。
【００３３】
図４に示す新端末機能変換テーブル４０４は、キー操作順序３０１ａとして、キー［Ａ１］、［Ｄ２］及び［Ｃ１］が記憶され、機能識別子３０２ａとして、識別子［Ｆ２２］が記憶されている場合を示している。
【００３４】
旧端末優先テーブルアドレス４０３は、旧携帯端末装置におけるキー操作順序３０１ａとそのキー操作順序３０１ａに割当てられていた機能の機能識別子３０２ｂとを記憶する旧端末機能変換テーブル４０５の格納先を示すアドレス情報である。
【００３５】
なお、旧端末優先時において、新携帯端末装置におけるキー操作順序３０１ａ（とそのキー操作順序３０１ａに割当てられている機能の機能識別子３０２ａ）が既に登録されている場合、旧端末機能変換テーブル４０５に重複機能変換テーブル４０６が追加し、未だ機能を割当てていないキー操作順序３０１ｃに機能識別子３０２ａを割当てて記憶する。
【００３６】
図５は、本発明の実施例に係る標準プロファイル生成処理を示すフローチャートである。
なお、図５に示すフローチャートは、処理の理解を容易にするために、利用者が携帯端末装置１００に対してキー［Ａ１］、［Ｄ２］、［Ｃ１］の順に押下するキー操作を行なった場合の標準プロファイル生成処理について示す。
【００３７】
利用者が携帯端末装置１００に対して所定の操作を行なうと、ステップＳ５０１ａにおいて、携帯端末装置１００は記録開始指示を検出する。そして、標準プロファイル生成部２１０に対して操作記録開始の指示を通知する。
【００３８】
一方、操作記録開始の指示を受付けると、ステップＳ５０１ｂにおいて、標準プロファイル生成部２１０は、利用者によるキー操作の記録を開始する。
利用者が一連のキー入力操作（キー［Ａ１］、［Ｄ２］、［Ｃ１］の順に入力）をすると、ステップＳ５０２ａ〜Ｓ５０４ａにおいて、キー入力制御部２０４は、検出したキーを標準プロファイル生成部２１０に通知する。
【００３９】
一方、入力キーが通知されると、標準プロファイル生成部２１０は、ステップＳ５０２ｂ〜Ｓ５０４ｂにおいて、キー入力制御部２０４から通知された順に入力キーを記憶するとともに、入力キーをメニュー操作部２１１に通知する。
【００４０】
メニュー操作部２１１は、ステップＳ５０１ｃ〜Ｓ５０３ｃにおいて、標準プロファイル生成部２１０から通知された入力キーを受付け、この一連のキー入力をメモリ等に一時的に記憶する。
【００４１】
ステップＳ５０４ｃにおいて、メニュー操作部２１１は、機能識別子一覧３０４を参照し、ステップＳ５０１ｃ〜Ｓ５０３ｃで取得した一連のキー入力に割当てられている機能を特定するとともに、その機能の機能識別子を取得する。
【００４２】
ステップＳ５０５ｃにおいて、メニュー操作部２１１は、ステップＳ５０４ｃで特定した機能を実現するプログラムを実行する。図４では、一連のキー入力、キー［Ａ１］、［Ｄ２］、［Ｃ１］にメール受信機能が割当てられている場合を示している。そのため、メニュー操作部２１１は、ステップＳ５０５ｃにおいて、メール受信用のアプリケーションプログラムを実行している。
【００４３】
メニュー操作部２１１によって起動されたアプリケーション（図ではメール受信用のアプリケーション）は、ステップＳ５０１ｄにおいて、メール受信処理を実行する。そして、ステップＳ５０２ｄに移行して処理を終了する。
【００４４】
また、ステップＳ５０６ｃにおいて、メニュー操作部２１１は、ステップＳ５０４ｃで取得した機能識別子を標準プロファイル生成部２１０に通知して処理を終了する。
一方、機能識別子の通知を受けた標準プロファイル生成部２１０は、処理をステップＳ５０５ｂに移行する。そして、ステップＳ５０２ｂ〜Ｓ５０４ｂで取得した一連のキー入力（図では、キー［Ａ１］、［Ｄ２］、［Ｃ１］）と、メニュー操作部２１１から通知された機能識別子と、をそれぞれ図３に示したキー操作順序３０１及び機能識別子３０２に記憶する。なお、図４に示したように新端末機能変換テーブル４０４と旧端末機能変換テーブル４０５とを備えている場合には、例えば、旧端末機能変換テーブル４０５に記憶すればよい。
【００４５】
利用者が携帯端末装置１００に対して所定の操作を行なうと、ステップＳ５０５ａにおいて、携帯端末装置１００は、記録終了指示を検出する。そして、標準プロファイル生成部２１０に対して操作記録終了の指示を通知する。
【００４６】
一方、操作記録終了の指示を受付けると、ステップＳ５０６ｂにおいて、標準プロファイル生成部２１０は、利用者のキー操作の記録を終了する。
ここで、図５には、処理の理解を容易にするために、［Ａ１］、［Ｄ２］、［Ｃ１］の順に一連のキー入力があった場合についてのみ示しているが、これに限定しないのは当然である。任意のキーについて一連のキー入力があった場合にも同様の処理が行なわれる。また、図５では、３つの連続するキー入力の場合を示しているが、２以上の連続するキー入力であればよい。
【００４７】
図６は、本発明の実施例に係る標準プロファイル登録処理のフローチャートである。
図６では、旧携帯端末装置で生成した標準プロファイル（以下、「第１の標準プロファイル」という）を取得して、新携帯端末装置が有する標準プロファイル（以下、「第２の標準プロファイル」という）に取り込む処理を示している。
【００４８】
ステップＳ６０１ａにおいて、旧携帯端末装置６０１は、標準プロファイル転送処理を開始すると、近距離データ通信部２０１を介して新携帯端末装置６０２と通信可能に接続する。この時の状態をデータ送受信モードという。
【００４９】
データ送受信モードにおいて、旧携帯端末装置６０１は、第１の標準プロファイルを新携帯端末装置６０２に送信する。そして、新携帯端末装置６０２からデータ受信完了が通知されると、旧携帯端末装置６０１は、データ送受信モードを解除して、標準プロファイル転送処理を終了する。
【００５０】
一方、ステップＳ６０１ｂにおいて、新携帯端末装置６０２は、旧携帯端末装置６０１からの要求に応じてデータ送受信モードとなる。そして、旧携帯端末装置６０１から第１の標準プロファイルを受信すると、新携帯端末装置６０２における標準プロファイル転送・読取り部２０９は、データ受信完了の通知を返信するとともに、データ送受信モードを解除する。そして、処理をステップＳ６０２ｂに移行する。
【００５１】
ステップＳ６０２ｂにおいて、標準プロファイル転送・読取り部２０９は、メニュー操作部２１１に対して、標準プロファイル登録処理の開始を要求する。
一方、ステップＳ６０１ｃにおいて、標準プロファイル転送・読取り部２０９から標準プロファイル登録処理の開始要求を受付けると、メニュー操作部２１１は、標準プロファイル登録処理を開始して第１の標準プロファイルの内容を第２の標準プロファイルに登録する。
【００５２】
そして、標準プロファイルの登録処理が完了すると、メニュー操作部２１１は、標準プロファイル転送・読取り部２０９に対して標準プロファイル登録完了を通知する。
標準プロファイル登録の完了通知を受けると、標準プロファイル転送・読取り部２０９は、処理をステップＳ６０３ｂに移行する。そして、メニュー操作部２１１に対して優先モードを旧端末優先に設定するように指示を行なう。
【００５３】
旧端末優先通知を受付けると、メニュー操作部２１１は、ステップＳ６０２ｃに移行する。そして、第２の標準プロファイルの優先モードに旧端末優先を設定する。そして、標準プロファイル転送・読取り部２０９に対して、旧端末優先の設定が完了した旨の通知を行なって処理を終了する。
【００５４】
一方、標準プロファイル転送・読取り部２０９は、メニュー操作部２１１から旧端末優先設定完了通知を受け取ると、処理をステップＳ６０４ｂに移行し、標準プロファイル登録処理を終了する。
【００５５】
図７は、図６に示した標準プロファイル登録処理（Ｓ６０１ｃ）の具体例を示すフローチャートである。
図６に示したステップＳ６０１ｃにおいて、標準プロファイル登録要求を受付けると、メニュー操作部２１１は、処理をステップＳ７０１に移行する。
【００５６】
ステップＳ７０１において、メニュー操作部２１１は、旧携帯端末装置６０１から取得した第１の標準プロファイルを参照する。そして、第１の標準プロファイルの旧端末機能変換テーブル４０５に登録されているキー操作順序３０１ａを取得する。
【００５７】
ステップＳ７０２において、メニュー操作部２１１は、第２の標準プロファイルを参照し、ステップＳ７０１で取得したキー操作順序３０１ａと一致するキー操作順序を検索する。そして、一致するキー操作順序を検出すると、メニュー操作部２１１は、処理をステップＳ７０３に移行する。
【００５８】
ステップＳ７０３において、メニュー操作部２１１は、第２の標準プロファイルを参照し、機能が割当てられていないキー操作順序３０１ｃを検索する。
ステップＳ７０４において、メニュー操作部２１１は、旧端末機能変換テーブル４０５に重複機能変換テーブル４０６を追加する。そして、重複機能変換テーブル４０６に、ステップＳ７０３で検出した新たなキー操作順序３０１ｃとステップＳ７０２で検出したキー操作順序３０１ａに割当てられていた機能識別子３０２ａを登録する。
【００５９】
ステップＳ７０５において、メニュー操作部２１１は、旧端末機能変換テーブル４０５にステップＳ７０１で取得したキー操作順序３０１ａとそのキー操作順序３０１ａに割当てられていた機能識別子３０２ｂを登録する。そして、ステップＳ７０９に移行して処理を終了する。
【００６０】
図８は、利用者による一連のキー入力に対する本発明の実施例に係る携帯端末装置１００の処理を示すフローチャートである。
なお、図８に示すフローチャートは、処理の理解を容易にするために、利用者がキー［Ａ１］、［Ｄ２］、［Ｃ１］の順にキーを押下するキー操作を行なった場合の携帯端末装置１００の処理を示すが、これに限定しないのは当然であり、任意のキーについて一連のキー入力があった場合にも同様に処理が行なわれる。
【００６１】
利用者が一連のキー入力操作（キー［Ａ１］、［Ｄ２］、［Ｃ１］の順に入力）をすると、ステップＳ８０１ａ〜Ｓ８０３ａにおいて、キー入力制御部２０４は、検出したキーをメニュー操作部２１１に通知する。
【００６２】
一方、メニュー操作部２１１は、ステップＳ８０１ｂ〜Ａ８０３ｂにおいて、キー入力制御部２０４から通知されたキー入力を受付け、この一連のキー入力をメモリ等に一時的に記憶する。そして、処理をステップＳ８０４ｂに移行する。
【００６３】
ステップＳ８０４ｂにおいて、メニュー操作部２１１は、メモリ等に記憶されている第１の標準プロファイル１０１を参照して、ステップＳ８０１ｂ〜Ｓ８０３ｂで受付けた一連のキー入力と一致するキー操作順序３０１ａを有する機能操作情報を検索する。そして、該当機能操作情報に設定されている優先選択識別子４０１を取得し、優先モードを判別する。
【００６４】
優先選択識別子４０１に”新端末”が設定されている場合（以下、この場合を「新端末優先モード」という）、メニュー操作部２１１は、処理をステップＳ８０５ｂに移行する。そして、新端末優先テーブルアドレス４０２を取得する。
【００６５】
また、優先選択識別子４０１に”旧端末”が設定されている場合（以下、この場合を「旧端末優先モード」という）、メニュー操作部２１１は、処理をステップＳ８０６ｂに移行する。そして、旧端末優先テーブルアドレス４０３を取得する。
【００６６】
ステップＳ８０７ｂにおいて、メニュー操作部２１１は、ステップＳ８０５ｂ又はＳ８０６ｂで取得したアドレスに格納されている新端末機能変換テーブル４０４又は旧端末機能変換テーブル４０５（重複機能変換テーブル４０６を含む、以下同じ）を参照し、機能識別子を取得する。
【００６７】
すなわち、優先モードが新端末優先モードの場合、メニュー操作部２１１は、新端末機能変換テーブル４０４を参照して機能識別子３０２ａを取得する。
また、優先モードが旧端末優先モードの場合、メニュー操作部２１１は、旧端末機能変換テーブル４０５又は重複機能変換テーブル４０６を参照し、ステップＳ８０１ｂ〜Ｓ８０３ｂで取得した一連のキー入力と一致するキー操作順序を持つ機能識別子を取得する。
【００６８】
ステップＳ８０８ｂにおいて、メニュー操作部２１１は、機能識別子とその機能を実現するプログラが記憶されているアドレス（以下、「プログラム実行アドレス」という）との関係を定めた図示しない機能識別子対応プログラムテーブルを参照し、ステップＳ８０７ｂで取得した機能識別子に対応するプログラムの実行アドレスを取得する。
【００６９】
ステップＳ８０９ｂにおいて、メニュー操作部２１１は、ステップＳ８０８ｂで取得したプログラム実行アドレスから当該プログラムを実行する。本実施例の場合、一連のキー入力［Ａ１］、［Ｄ２］、［Ｃ１］は、メール受信機能に割当てられているので、メール受信機能を実現するプログラムが実行される。プログラムを実行すると、ステップＳ８１０ｂに移行して処理を終了する。
【００７０】
一方、プログラムが実行されると、ステップＳ８０１ｃにおいて、メール受信が行なわれる。そして、ステップＳ８０２ｃに移行してプログラム処理が終了する。
以上の説明において、第２の標準プロファイルは旧携帯端末装置６０１から取得しているが、例えば、所定のサーバ等にあらかじめ用意された第２の標準プロファイルをネットワーク等を介して取得しても良い。
【００７１】
以上に説明したように、本実施例に係る携帯端末装置１００は、利用者からのキー入力を検出し、入力された一連のキー入力とこの一連のキー入力に割当てられている機能とを標準プロファイルに記録することができる（図５）。
【００７２】
また、他の携帯端末装置で生成された第２の標準プロファイルを通信等により取得し、この第２の標準プロファイルに記録されている一連のキー入力とそれに割当てられている機能とを自己の携帯端末装置に備わる第１の標準プロファイルに取り込むことができる（図６）。
【００７３】
そして、本実施例に係る携帯端末装置１００は、第１の標準プロファイルにしたがって利用者の入力に応じた機能を提供するので（図８）、使い慣れた携帯端末装置での操作と同様の操作を新たな携帯端末装置でも行なうことが可能となる。
【００７４】
（付記１）  １又は２以上のキーの組合わせについて任意の順番で押下される一連のキー入力を検出すると、一連のキー入力毎に所定の機能を割当てた第１のキー割当て情報を有する第１の標準プロファイルから前記一連のキー入力に割当てられた機能を取得して提供する機能提供手段と、
一連のキー入力毎に所定の機能を割当てた第２のキー割当て情報を有する第２の標準プロファイルを、他の装置又は記憶媒体から取得する標準プロファイル取得手段と、
該第２の標準プロファイルから第２のキー割当て情報を取得し、該第２のキー割当て情報を前記第１の標準プロファイルに登録する標準プロファイル登録手段と、
を備える携帯端末装置。
（付記２）  前記標準プロファイル登録手段は、前記第１のキー割当て情報における一連のキー入力と、前記第２のキー割当て情報における一連のキー入力と、が重複する場合には、該一連のキー入力について前記第２のキー割当て情報を登録するとともに、新たな一連のキー入力について前記第１のキー割当て情報を登録する、
ことを特徴とする付記１に記載の携帯端末装置。
（付記３）  前記第１及び第２のキー割当て情報は、任意の順番で押下される一連の入力キーと、該一連の入力キーに関連づけられた機能の機能識別子と、を一組みとする情報を複数備える、
ことを特徴とする付記１に記載の携帯端末装置。
（付記４）  前記第１の標準プロファイルに登録された前記第１のキー割当て情報又は前記第２のキー割当て情報のいずれか一方を必要に応じて選択し、該選択したキー割当て情報から一連のキー入力に割当てられた機能を取得し、該機能を実現するプログラムを実行する、
ことを特徴とする付記２に記載の携帯端末装置。
（付記５）  一連のキー入力毎に所定の機能を割当てた第１のキー割当て情報を有する第１の標準プロファイルを、記憶部から読出す第１の標準プロファイル取得処理と、
一連のキー入力毎に所定の機能を割当てた第２のキー割当て情報を有する第２の標準プロファイルを、他の装置又は記憶媒体から取得する第２の標準プロファイル取得処理と、
該第２の標準プロファイルから第２のキー割当て情報を取得し、該第２のキー割当て情報を前記第１の標準プロファイルに登録する標準プロファイル登録処理と、
を携帯端末装置に実行させる携帯端末装置におけるキー割当て方法。
（付記６）  １又は２以上のキーの組合わせについて任意の順番で押下される一連のキー入力を検出すると、前記第１の標準プロファイルから検出した一連のキー入力に割当てられた機能を取得し、該機能を提供する機能提供処理、
をさらに携帯端末装置に実行させる付記５に記載の携帯端末装置におけるキー割当て方法。
（付記７）  前記標準プロファイル登録処理は、前記第１のキー割当て情報における一連のキー入力と、前記第２のキー割当て情報における一連のキー入力と、が重複する場合には、該一連のキー入力について前記第２のキー割当て情報を登録するとともに、新たな一連のキー入力について前記第１のキー割当て情報を登録する、
ことを特徴とする付記５に記載の携帯端末装置におけるキー割当て方法。
（付記８）  前記第１及び第２のキー割当て情報は、任意の順番で押下される一連の入力キーと、該一連の入力キーに関連づけられた機能の機能識別子と、を一組みとする情報を複数備える、
ことを特徴とする付記５に記載の携帯端末装置におけるキー割当て方法。
（付記９）  前記第１の標準プロファイルに登録された前記第１のキー割当て情報又は前記第２のキー割当て情報のいずれか一方を必要に応じて選択し、該選択したキー割当て情報から一連のキー入力に割当てられた機能を取得し、該機能を実現するプログラムを実行する、
ことを特徴とする付記７に記載の携帯端末装置におけるキー割当て方法。
（付記１０）  一連のキー入力毎に所定の機能を割当てた第１のキー割当て情報を有する第１の標準プロファイルを記憶する第１の標準プロファイル記憶部から前記第１の標準プロファイルを読出す第１の標準プロファイル取得処理と、
一連のキー入力毎に所定の機能を割当てた第２のキー割当て情報を有する第２の標準プロファイルを、他の装置又は記憶媒体から取得して第２の標準プロファイル記憶部に記憶する第２の標準プロファイル取得処理と、
該第２の標準プロファイル記憶部から前記第２の標準プロファイルを読出して該第２の標準プロファイルから第２のキー割当て情報を取得し、該第２のキー割当て情報を前記第１の標準プロファイルに登録する標準プロファイル登録処理と、
を携帯端末装置に実行させるキー割当て用プログラム。
（付記１１）  １又は２以上のキーの組合わせについて任意の順番で押下される一連のキー入力を検出すると、前記第１の標準プロファイルから検出した一連のキー入力に割当てられた機能を特定し、該機能を実現するプログラムを実行する機能提供処理、
をさらに携帯端末装置に実行させる付記１０に記載のキー割当て用プログラム。
（付記１２）  前記標準プロファイル登録処理は、前記第１のキー割当て情報における一連のキー入力と、前記第２のキー割当て情報における一連のキー入力と、が重複する場合には、該一連のキー入力について前記第２のキー割当て情報を登録するとともに、新たな一連のキー入力について前記第１のキー割当て情報を登録する、
ことを特徴とする付記１０に記載のキー割当て用プログラム。
（付記１３）  前記第１及び第２のキー割当て情報は、任意の順番で押下される一連の入力キーと、該一連の入力キーに関連づけられた機能の機能識別子と、を一組みとする情報を複数備える、
ことを特徴とする付記１０に記載のキー割当て用プログラム。
（付記１４）  前記第１の標準プロファイルに登録された前記第１のキー割当て情報又は前記第２のキー割当て情報のいずれか一方を必要に応じて選択し、該選択したキー割当て情報から一連のキー入力に割当てられた機能を取得し、該機能を実現するプログラムを実行する、
ことを特徴とする付記１２に記載のキー割当て用プログラム。
【図面の簡単な説明】
【００７５】
【図１】本発明の実施例に係る携帯端末装置の動作原理を説明する図である。
【図２】本発明の実施例に係る携帯端末装置の構成を示す機能ブロック図である。
【図３】本発明の実施例に係る第１又は第２の標準プロファイルを説明する図である。
【図４】図３に示した機能操作情報の構成例を示す図である。
【図５】本発明の実施例に係る標準プロファイル生成処理を示すフローチャートである。
【図６】本発明の実施例に係る標準プロファイル登録処理のフローチャートである。
【図７】図６に示した標準プロファイル登録処理の具体例を示すフローチャートである。
【図８】利用者による一連のキー入力に対する本発明の実施例に係る携帯端末装置の処理を示すフローチャートである。
【符号の説明】
【００７６】
１００      携帯端末装置
１０１      第１の標準プロファイル
１０２      第２の標準プロファイル
１０３      機能提供手段
１０４      標準プロファイル取得手段
１０５      標準プロファイル登録手段
１０６      通信先装置
２０９      標準プロファイル転送・読取り部
２１０      標準プロファイル生成部
２１１      メニュー操作部
３００      標準プロファイル
３０１      キー操作順序
３０２      機能識別子
３０３      キー位置情報
３０４      機能識別子一覧
４００      機能操作情報
４０１      優先選択識別子
４０２      新端末優先テーブルアドレス
４０３      旧端末優先テーブルアドレス
４０４      新端末機能変換テーブル
４０５      旧端末機能変換テーブル
４０６      重複機能変換テーブル
【図１】
2008048112.tif 000003
【図２】
2008048112.tif 000004
【図３】
2008048112.tif 000005
【図４】
2008048112.tif 000006
【図５】
2008048112.tif 000007
【図６】
2008048112.tif 000008
【図７】
2008048112.tif 000009
【図８】
2008048112.tif 000010